(57)【要約】【課題】手動操作部の損壊が防止された、耐久性の良好な便器洗浄装置を提供する。【解決手段】便座ボックス２は、前部に配置された昇降可能なフロントベースプレート３ａと、無底箱状の合成樹脂製のカバー３ｄとによって外殻が形成されている。固定式のリアベースプレート４ａには、浮上ユニット２０、電源基板２２、便鉢やトラップ部へ水を供給するためのバルブユニット２４、駆動ユニット５０、ストレーナ４２等が設けられている。駆動ユニット５０の軸５８に連なる手動操作軸８０がキャップ７０の開口７１から非突出に配置されている。軸８０の先端にドライバー係合用の溝８１が設けられている。【選択図】  図１
2004156344.tif 000002
【特許請求の範囲】
【請求項１】
便器への洗浄水の供給用の弁装置がスイッチ又はセンサからの信号に基づいても、また手動によっても駆動されるよう構成された便器洗浄装置であって、
便器に設けられるカバーケース内に該弁装置が配置されており、且つ該弁装置を手動にて操作するための手動軸が該カバーケース内に設けられている便器洗浄装置において、
該カバーケースに、該手動軸を操作するための開口が設けられていることを特徴とする便器洗浄装置。
【請求項２】
請求項１において、工具によって操作されるように工具係合部が該手動軸に設けられていることを特徴とする便器洗浄装置。
【請求項３】
請求項２において、該工具係合部は、該手動軸の先端面に設けられた溝よりなることを特徴とする便器洗浄装置。
【請求項４】
請求項２において、該工具係合部は、該手動軸の先端面から凹設された角穴よりなることを特徴とする便器洗浄装置。
【請求項５】
請求項１ないし４のいずれか１項において、該手動軸の先端に、該手動軸を手動にて回転操作するための手動操作軸が前記カバーケースから非突出状にて連結されており、
該カバーケースの前記開口に該手動操作軸の先端が臨んでいることを特徴とする便器洗浄装置。
【請求項６】
請求項５において、工具によって操作されるように工具係合部が該手動操作軸に設けられていることを特徴とする便器洗浄装置。
【請求項７】
請求項６において、該工具係合部は、該手動操作軸の先端面に設けられた溝よりなることを特徴とする便器洗浄装置。
【請求項８】
請求項６において、該工具係合部は、該手動操作軸の先端面から凹設された非円形穴よりなることを特徴とする便器洗浄装置。
【請求項９】
請求項５ないし８のいずれか１項において、
前記手動軸の前記工具係合部は該手動軸の先端面から凹設された非円形穴よりなり、
前記手動操作軸は、該非円形穴に嵌合可能な非円形柱状部を有しており、該非円形柱状部が該非円形穴に嵌合することにより該手動軸に連結されていることを特徴とする便器洗浄装置。
【請求項１０】
請求項１ないし９のいずれか１項において、該カバーケースは便座ボックスであることを特徴とする便器洗浄装置。
【請求項１１】
請求項１０において、該便座ボックスの左又は右の側面に該開口が設けられていることを特徴とする便器洗浄装置。
【請求項１２】
請求項１１において、該便座ボックスは、
昇降可能な昇降部と、
該開口を有し、昇降不能であり、該本体部の昇降時に該昇降部と摺動する固定部と
を有することを特徴とする便器洗浄装置。
【請求項１３】
請求項１２において、該固定部は、着脱自在なキャップを備えており、該キャップに前記開口が設けられていることを特徴とする便器洗浄装置。
【発明の詳細な説明】
【０００１】
【発明の属する技術分野】
本発明は、便器洗浄装置に係り、特に手動でも自動又はスイッチ操作でも洗浄水を便器に供給することができる便器洗浄装置に関する。
【０００２】
【従来の技術】
スイッチ操作及び手動操作のいずれによっても便器に洗浄水を供給可能な便器洗浄装置は特公平１−１８２１８号に見られる通り周知である。
【０００３】
特開２０００−２７２６４号には、手動レバーと操作盤とを蓋で隠蔽し、操作時にはこの蓋を開けるようにした便器洗浄装置が記載されている。
【０００４】
【特許文献１】
特公平１−１８２１８号公報
【特許文献２】
特開２０００−２７２６４号公報
【０００５】
【発明が解決しようとする課題】
便座ボックスの側面に設けられた手動レバーは、足で操作されたりすることにより、損壊することがある。
【０００６】
上記特開２０００−２７２６４号のように蓋で隠蔽しておくと、足で操作される頻度は低下すると考えられるが、蓋を開けたときには手動レバーが露出する以上、その損壊を確実に防止することはできない。なお、この蓋自体が足で蹴られたりして損壊するおそれもある。
【０００７】
本発明は、このような損壊を確実に防止することができる便器洗浄装置を提供することを目的とする。
【０００８】
【課題を解決するための手段】
本発明の便器洗浄装置は、便器への洗浄水の供給用の弁装置がスイッチ又はセンサからの信号に基づいても、また手動によっても駆動されるよう構成された便器洗浄装置であって、便器に設けられるカバーケース内に該弁装置が配置されており、且つ該弁装置を手動にて操作するための手動軸が該カバーケース内に設けられている便器洗浄装置において、該カバーケースに、該手動軸を操作するための開口が設けられていることを特徴とするものである。
【０００９】
かかる便器洗浄装置にあっては、手動軸がカバーケース内に設けられているので、足で蹴られたりして損壊することがない。この手動軸は、カバーケースに設けられた開口を介して手動操作される。
【００１０】
本発明の便器洗浄装置においては、工具によって操作されるように工具係合部が該手動軸に設けられていることが好ましい。このように構成した場合には、カバーケースの開口を介して工具により手動軸を操作することができる。
【００１１】
なお、便器洗浄装置は、通常はスイッチ操作又はセンサからの信号により便器に洗浄水が供給され、手動軸を操作することは停電時等に限られ、稀である。従って、手動軸を工具で操作することは日常的には殆どなく、便器洗浄装置の通常の使用に不便は全くない。
【００１２】
この工具係合部として、手動軸の端面に非円形穴や溝を設けた場合には、最も一般的な工具である六角レンチやマイナス型ドライバーによって手動軸を回すことができる。非円形穴としては四角形や六角形などの角穴やＤ穴（Ｄ字形断面形状の穴）などが例示される。
【００１３】
本発明の便器洗浄装置においては、手動軸の先端に、該手動軸を手動にて回転操作するための手動操作軸がカバーケースから非突出状にて連結されており、該カバーケースの開口に該手動操作軸の先端が臨んでいる構成となっているとしてもよい。
【００１４】
このように構成した場合には、手動軸がカバーケースの開口から奥まった位置に設けられている場合でも、該開口に臨んでいる手動操作軸を介して手動軸を操作することができる。また、このように構成された場合でも、手動操作軸はカバーケースから非突出状となっているので、足で蹴られたりして損壊することがない。
【００１５】
この手動操作軸に工具係合部が設けられていることが好ましい。このように構成することにより、カバーケースの開口を介して工具により該手動操作軸を操作することができる。この工具係合部として手動操作軸の端面に非円形穴や溝を設けた場合には、この手動操作軸も最も一般的な工具である六角レンチやマイナス型ドライバーによって回すことができる。
【００１６】
本発明の便器洗浄装置においては、手動軸の工具係合部は該手動軸の先端面から凹設された非円形穴よりなり、手動操作軸は、該非円形穴に嵌合可能な非円形柱状部を有しており、該非円形柱状部が該非円形穴に嵌合することにより該手動軸に連結される構成であることが好ましい。
【００１７】
かかる構成とした場合、手動軸がカバーケースの開口から奥まった位置に配置されている場合には、手動軸の非円形穴に手動操作軸の非円形柱状部を嵌合させることにより、該手動操作軸を手動軸に連結する。これにより、該手動操作軸を介して手動軸を回転操作することができる。また、手動軸がカバーケースの開口近傍に配置されている場合には、該手動軸に手動操作軸を連結することなく、該手動軸の非円形穴に六角レンチ等の工具を差し込んで直接的に手動軸を操作することができる。
【００１８】
なお、非円形柱状部としては、四角形や六角形などの角柱部、あるいはＤ字形断面形状の柱状部などが例示される。
【００１９】
従って、かかる構成とすることにより、同一構成の手動軸を有した弁装置を、該手動軸がカバーケースの開口から奥まった位置に配置される場合と、該開口近傍に配置される場合のどちらにも採用することができ、１種の弁装置で種々の内部レイアウトを有する便器洗浄装置を構成することが可能となる。
【００２０】
本発明では、カバーケースとしては、洋風便器の後部上面に設置される便座ボックスが好適である。この場合、工具により手動軸や手動操作軸を操作し易くするために、上記開口は便座ボックスの側面に設けられることが好ましい。
【００２１】
本発明では、便座ボックスは、昇降可能な昇降部と、該開口を有し、昇降不能であり、該本体部の昇降時に該昇降部と摺動する固定部とを有する構成とされてもよい。このように便座ボックスの昇降部を上昇させた場合には、便座ボックス下側の洋風便器上面を清掃することができる。この場合、便座ボックスの昇降部とは別個に固定部を設けているので、昇降部が昇降しても、手動軸や手動操作軸並びにそれに連なる弁装置は昇降しない構成とすることができる。
【００２２】
この場合、固定部は、着脱自在なキャップを備えており、該キャップに前記開口が設けられていることが好ましい。かかる構成とした場合、キャップをハンドル用キャップに交換し、手動軸にハンドル軸を取り付けることにより、ハンドルが便座ボックス外面に配置された従来タイプの構成となる。これにより、便座ボックスの品番を増やすことなく本発明構造の便器洗浄装置が得られることになる。
【００２３】
【発明の実施の形態】
以下、図面を参照して実施の形態について説明する。図１（ａ）は実施の形態に係る便器洗浄装置を備えた洋風便器の斜視図、図１（ｂ）はその一部の拡大図、図２（ａ）は図１（ｂ）のＩＩ−ＩＩ線断面図、図２（ｂ）はその一部の拡大図、図３はその一部の分解図、図４（ａ）は、この洋風便器の概略的な透視図、図４（ｂ）はその洗浄給水装置の給水系統図、図５はこの洋風便器の便座ボックス内の構成を示す斜視図、図６はこの便座ボックスの昇降説明図であり、（ａ）図は降下時、（ｂ）図は上昇時を示す。
【００２４】
図４（ａ）、（ｂ）の通り、洋風便器１は、前部に鉢部３２を備え、この鉢部３２の上部内周にリム３３が設けられている。このリム３３へはリムノズル３４を介して洗浄水が供給される。また、鉢部３２のトラップ部には、該トラップ部にサイホン排出流を誘起するための水（ジェット水）を噴出するジェットノズル３５が設けられている。
【００２５】
トイレルームの壁面には給水管の末端が突出しており、この給水管の末端に止水栓４０が取り付けられている。この止水栓４０は給水ホース４１を介して洋風便器１の後部に設置されたストレーナ４２に接続されている。このストレーナ４２を通過した水は駆動ユニット５０へ供給可能とされると共に、該ストレーナ４２から分岐した配管４３を介して温水洗浄装置の温水タンクへ供給可能とされている。
【００２６】
駆動ユニット５０は、内部に配置された弁装置５２，５３をモータ５１で駆動し、リムノズル給水配管５４又はジェットノズル給水配管５５へ水を供給する。なお、停電時にも便器を使用できるようにするために、モータ５１の回転軸に手動軸５８が連なっている。
【００２７】
なお、この駆動ユニット５０には、リムノズル用給水配管５４内及びジェットノズル用給水配管５５内の負圧をブレークするためのバキュームブレーカ５６，５７が設けられている。このバキュームブレーカ５６，５７は、該給水配管５４又は５５内に負圧が生じたときに開弁して該給水配管５４又は５５内を大気に連通させるよう構成されている。
【００２８】
用便（大便）後に洋風便器１に洗浄水を供給するときには、まず弁５２が所定時間開弁してリム３３へ洗浄水が供給されて鉢面の汚水がトラップ部へ洗い落とされる。次に、弁５３が所定時間開弁し、ジェットノズル５５から水が噴出してトラップ部にサイホンが誘起され、汚水が排水管へ排出される。その後、弁５２が再度所要時間開弁し、トラップ水が貯溜される。
【００２９】
図５，６の通り、この洋風便器１の後部上面に便座ボックス２が昇降可能に設置されており、この便座ボックス２に便座３ｅ及び便蓋３ｆが起倒方向回動自在に取り付けられている。
【００３０】
この実施の形態では、便座ボックス２は、前部に配置された昇降可能なフロントベースプレート３ａと、無底箱状の合成樹脂製のカバー３ｄとによって外殻が形成されている。このフロントベースプレート３ａに、人体臀部を温水で洗浄するための温水洗浄ノズル１０，１１及びモータ駆動式温水切替弁装置１２が設置されている。また、このフロントベースプレート３ａの底面には、便座ボックス２が浮上したときにその下側領域Ｓを照らすための照明３ｇが設けられている。この照明３ｇとしてはＬＥＤが好適であるが、これに限定されない。ただし、照明３ｇは省略されてもよい。
【００３１】
また、このフロントベースプレート３ａ上には、便座３ｅ及び便蓋３ｆを開閉させる電動開閉ユニット１３、人体臀部に向けて温風を吹き出してその乾燥を行う温風ファン１４、便鉢内から臭気を含んだ空気を吸引して脱臭する脱臭ファン１５及び脱臭カートリッジ１６、ヒータ及び電動ファンよりなる部屋暖房ファン２１、開閉ユニット１３用制御回路基板２３が設けられている。カバー３ｄには、便器本体１に近づいたり着座した人体を検知するための人体検知センサ１７，１８が設けられている。
【００３２】
洋風便器１の最後部上面には、カバー３ｄの後部側が上方から被さるようにリアベースプレート４ａが設けられている。このリアベースプレート４ａには、前記温水洗浄ノズルへ温水を供給するためのヒータ付き温水タンク（図示略）、便座ボックス２を押し上げたり、降下させたりするための機械式又はモータ駆動式浮上ユニット２０、電源基板２２、便鉢やトラップ部へ水を供給するためのバルブユニット２４及び図４に図示の駆動ユニット５０、ストレーナ４２等が設けられている。
【００３３】
この温水洗浄機構等は、トイレルームの壁面に取り付けられたリモコン（図示略）によって操作される。このリモコンには、浮上ユニット２０を浮上動作させるための浮上スイッチと、浮上ユニット２０を下降動作させるための下降スイッチも設けられている。
【００３４】
浮上スイッチを操作すると、浮上ユニット２０が便座ボックス２のフロントベースプレート３ａを所定高さまで押し上げ、その状態に停止させる。また、便座ボックス２が上昇すると、照明３ｇが点灯する。これにより、浮上した便座ボックス２の前部の下側スペース（下側領域）Ｓが照明される。このように下側領域Ｓが明るく照らされるので、該下側領域Ｓに臨む便器本体の上面や、フロントベースプレート３ａの下面等を容易に清掃することができる。下降スイッチを操作すると便座ボックス２の前部が下降する。
【００３５】
図１，２の通り、この便座ボックス２０のカバー３ｄの正面向って左側の側面には、上下方向に長い切欠部がカバー３ｄの下端縁から上方に延設され、この切欠部に固定部としての固定プレート６０が上下方向摺動自在に装着されている。この固定プレート６０は前記リアベースプレート４ａにビス留めにより固定されている。
【００３６】
図３の通り、この固定プレート６０の上端部にはＵ字形の切欠部６１が設けられ、この切欠部６１にキャップ７０が着脱可能に装着されている。このキャップ７０には手動操作軸８０を通すための開口７１が設けられている。
【００３７】
キャップ７０からは、下方に舌片部７２が延設され、この舌片部７２の下端のフック部７２ａが固定プレート６０の裏面の突起６２に係止されている。
【００３８】
前記手動操作軸８０は、その先端面に径方向溝８１が設けられ、後部側は六角柱状部８２となっている。六角柱状部８２が、前記手動軸５８の先端面から凹設された六角穴５８ａに緊嵌している。この手動操作軸８０の先端面は、キャップ７０の外面と面一か又はそれよりも若干内方に後退しており、キャップ７０からは非突出となっている。
【００３９】
便座ボックス２０のカバー（昇降部）３ｄが上昇するときには、固定プレート６０は上昇せず、カバー３ｄのみが上昇する。この際、固定プレート６０の両側辺がカバー３ｄと摺動する。なお、駆動ユニット５０も、リヤベース４ａに固定されており、上昇しない。
【００４０】
停電時等に駆動ユニット５０を手動操作するときには、マイナス型ドライバーを溝８１に差し込んで手動操作軸８０を回す。このような停電の頻度は極めて少なく、日常の便器洗浄操作はすべてリモコンによって行われるので、不便は全くない。この手動操作軸８０は外方に非突出となっているので、美観が良いと共に、足で蹴られたりすることがなく、耐久性が極めて良好である。
【００４１】
なお、この実施の形態では、キャップ７０及び手動操作軸８０を取り外し、ハンドル支持用キャップを固定プレート６０に取り付けハンドルを手動軸５８に連結することにより、便器洗浄装置を従来型のハンドル露出タイプのものとすることができる。このため、若干の部品を交換するだけで品番を増やすことなく本発明構造の便器洗浄装置を提供することができる。
【００４２】
上記実施の形態では、手動軸５８の先端に、該手動軸５８を手動にて回転操作するための手動操作軸８０を装着し、この手動操作軸８０を介して手動軸５８を回転操作するよう構成しているが、この手動操作軸８０を省略し、キャップ７０の開口７１から六角穴５８ａに六角レンチ（図示略）を差し込んで直接的に該手動軸５８を回転操作するよう構成してもよい。
【００４３】
上記実施の形態は本発明の一例であり、本発明は図示以外の形態をもとりうる。
【００４４】
【発明の効果】
以上の通り、本発明によると、手動操作部の損壊が防止された、耐久性の良好な便器洗浄装置が提供される。
【図面の簡単な説明】
【図１】本発明の実施の形態の斜視図である。
【図２】実施の形態に係る便器設備の断面図である。
【図３】図１，２の要部分解斜視図である。
【図４】実施の形態に係る便器洗浄装置の通水構造の説明図である。
【図５】実施の形態に係る便器洗浄装置を備えた洋風便器の斜視図である。
【図６】実施の形態に係る便器洗浄装置を備えた洋風便器の側面図である。
【符号の説明】
１  洋風便器
２  便座支持部材
３ａ  フロントベースプレート
３ｅ  便座
３ｄ  カバー
３ｆ  便蓋
１３  開閉ユニット
１７，１８  人体検知センサ
２０  浮上ユニット
３２  鉢部
３３  リム
３４  リムノズル
３５  ジェットノズル
４０  止水栓
４１  給水ホース
５０  駆動ユニット
６０  固定プレート
７０  キャップ
７１  開口
８０  手動操作軸
８１  溝
【図１】
2004156344.tif 000003
【図２】
2004156344.tif 000004
【図３】
2004156344.tif 000005
【図４】
2004156344.tif 000006
【図５】
2004156344.tif 000007
【図６】
2004156344.tif 000008